(57)【特許請求の範囲】
【請求項１】
硬貨を取り扱っていないＡＴＭ（現金自動預払機）で受け付けた入金を、金融機関のホストコンピュータにおいて複数の口座へ入金処理するシステムであって、
前記ＡＴＭにおいて、キャッシュカードから読み取った第１の口座の口座情報を、前記ホストコンピュータに通知する手段と、
前記ホストコンピュータにおいて、前記ＡＴＭから受け取った通知に基づいて、口座情報を記憶した口座マスタを参照し、少なくとも、前記第１の口座に関連する第２および第３の口座の口座情報を前記ＡＴＭに通知する手段と、
前記ＡＴＭにおいて、前記第１および前記第２の口座の口座情報を表示し、投入された紙幣および前記第１の口座に対して指定された第１の入金金額、および前記第２の口座に対して指定された第２の入金金額を受け取って、前記第１の入金金額を含む第１の入金電文、前記第２の入金金額を含む第２の入金電文、および前記紙幣の合計金額から前記第１および第２の入金額を差し引いた差額を含み、前記第３の口座に対する第３の入金電文を作成し、前記ホストコンピュータに送信する手段と、
前記ホストコンピュータにおいて、前記ＡＴＭから受信した前記第１乃至第３の入金電文を入金処理する手段と
を備えたことを特徴とするシステム。
【請求項２】
前記ホストコンピュータの前記ＡＴＭに通知する手段は、前記ＡＴＭから通知された前記第１の口座が一部入金可能な口座でない場合に、前記ＡＴＭにエラーを通知することを特徴とする請求項１に記載のシステム。
【請求項３】
前記第２および第３の口座は、前記第１の口座の口座識別子と同じ口座識別子を有することによって関連付けられることを特徴とする請求項１に記載のシステム。
【請求項４】
硬貨を取り扱っていないＡＴＭ（現金自動預払機）で受け付けた入金を、金融機関のホストコンピュータにおいて複数の口座へ入金処理する方法であって、
前記ＡＴＭが、キャッシュカードから読み取った第１の口座の口座情報を、前記ホストコンピュータに通知するステップと、
前記ホストコンピュータが、前記ＡＴＭから受け取った通知に基づいて、口座情報を記憶した口座マスタを参照し、少なくとも、前記第１の口座に関連する第２および第３の口座の口座情報を前記ＡＴＭに通知するステップと、
前記ＡＴＭが、前記第１および前記第２の口座の口座情報を表示し、投入された紙幣および前記第１の口座に対して指定された第１の入金金額、および前記第２の口座に対して指定された第２の入金金額を受け取って、前記第１の入金金額を含む第１の入金電文、前記第２の入金金額を含む第２の入金電文、および前記紙幣の合計金額から前記第１および第２の入金額を差し引いた差額を含み、前記第３の口座に対する第３の入金電文を作成し、前記ホストコンピュータに送信するステップと、
前記ホストコンピュータが、前記ＡＴＭから受信した前記第１乃至第３の入金電文を入金処理するステップと
を含むことを特徴とする方法。
【請求項５】
前記ホストコンピュータが前記ＡＴＭに通知するステップは、前記ＡＴＭから通知された前記第１の口座が一部入金可能な口座でない場合に、前記ＡＴＭにエラーを通知するステップを含むことを特徴とする請求項４に記載の方法。
【請求項６】
前記第２および第３の口座は、前記第１の口座の口座識別子と同じ口座識別子を有することによって関連付けられることを特徴とする請求項４に記載の方法。
【発明の詳細な説明】
【技術分野】
【０００１】
本発明は、複数口座入金システム及びその方法に関し、より詳細には、ＡＴＭ（現金自動預払機）で受け付けた入金を、金融機関のホストコンピュータにおいて複数の口座へ入金処理するシステム及びその方法に関する。
【背景技術】
【０００２】
現在、複数の金融機関から、入金専用のキャッシュカードを用いた入金サービスが提供されている。この入金サービスは、例えば、複数の小売店を持つ企業において、各小売店の売上金を集金し、ＡＴＭに入金して、その売上金を入金専用口座を介して、本社の管理口座で一括管理することを目的とする。利用可能なＡＴＭには、この入金サービスを提供する金融機関のＡＴＭのほか、他の金融機関の提携ＡＴＭも含まれ、これらのＡＴＭは、現在では、多くのコンビニエンスストアにも設置されている。また、コンビニエンスストア等に設置されたＡＴＭは、２４時間利用なものも多い。
【０００３】
この入金サービスによると、例えば集金の都度、ＡＴＭへ入金することができるので、移動中の紛失や盗難などの現金取扱リスクを軽減することができる。また、入金専用キャッシュカードは、入金担当者毎に別々のキャッシュカード番号で発行することができるので、入金専用口座の入金明細を確認することで、キャッシュカード番号をキーにして、入金担当者の入金状況を把握することができる。さらに、入金専用口座に入金された売上金等は、指定された資金管理口座に自動的に振り替えられるので、資金回収を効率的に行うことができる。
【発明の概要】
【発明が解決しようとする課題】
【０００４】
しかしながら、コンビニエンスストア等に設置されたＡＴＭは硬貨投入口を備えていないものが多い。したがって、硬貨による入金を行えず、つり銭も取得できないため、当日の売上金等と実際の入金額とを同一にすることが難しいという問題がある。
【０００５】
本発明は、このような問題に鑑みてなされたものであり、その目的とするところは、ＡＴＭの一部入金機能を用いて売上金等と同一の入金額を入金することができ、さらに、複数の口座に入金することができる複数口座入金システム及びその方法を提供することにある。
【課題を解決するための手段】
【０００６】
このような目的を達成するために、本発明の一実施形態に係るシステムは、ＡＴＭにおいて、キャッシュカードから読み取った第１の口座の口座情報を、ホストコンピュータに通知する手段と、ホストコンピュータにおいて、ＡＴＭから受け取った通知に基づいて、口座情報を記憶した口座マスタを参照し、少なくとも、第１の口座に関連する第２および第３の口座の口座情報をＡＴＭに通知する手段と、ＡＴＭにおいて、第１および前記第２の口座の口座情報を表示し、投入された紙幣および第１の口座に対して指定された第１の入金金額、および第２の口座に対して指定された第２の入金金額を受け取って、第１の入金金額を含む第１の入金電文、第２の入金金額を含む第２の入金電文、および紙幣の合計金額から第１および第２の入金額を差し引いた差額を含み、第３の口座に対する第３の入金電文を作成し、ホストコンピュータに送信する手段と、ホストコンピュータにおいて、ＡＴＭから受信した第１乃至第３の入金電文を入金処理する手段とを備えたことを特徴とする。
【図面の簡単な説明】
【０００７】
【図１】本発明の一実施形態に係るシステムの構成を示すブロック図である。
【図２】本発明の一実施形態に係るシステムの機能ブロック図である。
【図３】本発明の一実施形態に係る口座マスタを示す図である。
【図４】本発明の一実施形態に係る入金電文を示す図である。
【図５】本発明の一実施形態に係るシステムの処理フロー図である。
【図６】本発明を説明するための概念図である。
【発明を実施するための形態】
【０００８】
以下に、図面を参照しながら、本発明の実施形態について詳細に説明する。なお、複数の図面において同一の符号は同一物を表し、その繰り返しの説明は省略する。
【０００９】
図１は、本発明の一実施形態に係る複数口座入金システムの構成を示す。  
本発明の一実施形態に係るシステムでは、複数のＡＴＭ１０１が、ネットワーク１０３を介して金融機関システム１０５に相互に通信可能に接続されている。ＡＴＭ１０１は三台しか示していないが、実際には、各地に数多くのＡＴＭが設置されている。ネットワーク１０３には様々なネットワークが含まれ、例えば、各金融機関のＡＴＭを相互接続する統合ＡＴＭシステムなども含まれる。金融機関システム１０５は、一般的に、相互に接続された多くのコンピュータで構成されているが、ここでは、ホストコンピュータ１０７、口座情報等を記憶する口座マスタ１０９、及び、入金明細を含む取引情報を記憶する取引マスタ１１１を例示する。
【００１０】
なお、ＡＴＭ１０１及びホストコンピュータ１０７は、処理装置（ＣＰＵ）、メモリ、記憶装置などを備えるコンピュータであり、メモリまたは記憶装置に記憶されたコンピュータプログラムを処理装置（ＣＰＵ）が処理することによって統括的に制御され、本発明に係る処理を実施し、その機能を実現することができる。また、口座マスタ１０９、取引マスタ１１１などのデータベースも、金融機関システム１０５内の任意のコンピュータに実装される。なお、上述したシステム構成は、例示のためのものであり、本発明を実施することができるシステム構成を限定するものではない。
【００１１】
ここで、図３を参照して、口座マスタ１０９について説明する。  
口座マスタ１０９は、口座情報として、支店名、支店コード、種目、口座番号、名義人名などの情報と共に、入金専用フラグ、および、入金口座識別子を含む。入金専用フラグが「１」として登録されている場合は、その口座が入金専用口座であり、その口座からは、キャッシャカード等を用いて出金することができないことを示す。一方、入金専用フラグが「０」として登録されている場合には、その口座が入金専用口座ではなく、キャッシュカード等を用いて出金することも可能な口座であることを示す。また、入金口座識別子は、その口座に関連する複数の口座を識別するための識別子である。入金口座識別子については、以下でより具体的に説明する。
【００１２】
図３に例示した口座マスタ１０９は、データレコード３０１〜３０５を含む。データレコード３０１によって示される口座（以下、口座３０１とする。また、データレコード３０２〜３０５によって示される各口座も同様に表す。）は、入金専用フラグが「１」、入金口座識別子が「０００００１」として登録されている。これは、口座３０１が、入金専用口座であり、関連する複数の口座が存在する可能性があることを示す。データレコード３０２によって示される口座３０２は、入金専用フラグが「１」、入金口座識別子が「００００１」として登録されている。これは、口座３０２が、入金専用口座であり、同じ入金口座識別子を有する口座３０１に関連する口座であることを示す。また、データレコード３０３によって示される口座３０３も、口座３０２と同様に、入金専用口座であり、口座３０１に関連する口座であることが示されている。データレコード３０４によって示される口座３０４は、口座３０１と同一の入金口座識別子「００００１」を有するが、入金専用フラグが「０」として登録されている。これは、口座３０４が、口座３０１に関連する口座ではあるが、入金専用口座ではないことを示す。このような組み合わせの入金専用フラグおよび入金口座識別子を有する口座３０４は、口座３０１に対して１つだけ設けられるつり銭口座である。また、データレコード３０５によって示される口座３０５は、入金専用フラグが「１」として登録されているが、入金口座識別子が登録されていない。これは、口座３０５が、入金専用口座ではあるが、関連する口座を有さないことを示す。
【００１３】
次いで、上述した本発明の一実施形態に係るシステムの、ＡＴＭ１０１および金融機関システム１０５が備える各機能について説明する。図２は、本発明の一実施形態に係るシステムの機能ブロックを示す。なお、ＡＴＭ１０１は、少なくとも従来のＡＴＭと同様の機能を備えるものであり、例えば、操作案内、操作内容などを表示する表示部、入力キーなどの入力部、紙幣投入口なども備えるが、本明細書では詳細には説明しない。したがって、それらは、図１、２等にも示されていない。なお、本発明においては、ＡＴＭ１０１は硬貨投入口を備えていなくてもよい。
【００１４】
図２に示されるように、ＡＴＭ１０１は、カード読取部２０１、電文作成部２０３、および電文送信部２０５を備え、ホストコンピュータ１０７は、通知照合部２０６、電文受信部２０７、電文照合部２０９、および入金処理部２１１を備える。
【００１５】
カード読取部２０１は、ＡＴＭ１０１に挿入されたキャッシュカードを読み取り、そのキャッシュカードに記憶された口座の口座情報等を取得する。キャッシュカードから読み取った情報は、ホストコンピュータ１０７に通知される。ホストコンピュータ１０７が通知を受け取ると、通知照合部２０６が口座マスタ１０９を参照して、通知に含まれた口座が一部入金可能な口座であるかどうかを確認し、その結果をＡＴＭ１０１に通知する。より具体的には、その口座が入金専用口座であるかどうかを確認し、その結果をＡＴＭ１０１に返す。また、その口座に入金口座識別子が登録されており、関連する口座が存在する場合は、そのような口座についての口座情報も併せてＡＴＭ１０１に通知する。また、通知に含まれた口座が入金専用口座でない場合や、対応するつり銭口座が存在しない場合は、ＡＴＭ１０１にエラーを通知する。確認結果を受け取ったＡＴＭ１０１は、その口座が入金専用口座である場合は、一部入金メニューを表示する。また、関連する口座が存在する場合は、キャッシュカードに記憶された口座と共に関連する口座を一部入金メニューに表示する。入金対象となるこれらの口座は、例えば、各口座を選択可能なように、リスト形式で一覧表示される。なお、ここでは、つり銭口座は表示されない。例えば、図３の口座マスタ１０９のように複数の口座が登録されている場合、キャッシュカードに登録されている口座３０１とともに、関連口座３０２、３０３が一部入金メニューに表示され、つり銭口座３０４は表示されない。入金担当者は、ＡＴＭ１０１に紙幣を投入すると共に、一部入金メニューに表示された複数の口座のうちの１つを選択して、売上金等の入金金額を入力することができる。また、入金金額の入力は、表示された他の口座に対して続けて行うことができる。
【００１６】
電文作成部２０３は、ＡＴＭ１０１に投入された紙幣、およびＡＴＭ１０１に入力された入金金額に基づいて、入金電文を作成する。作成された入金電文は、電文送信部２０５によって金融機関システム１０５のホストコンピュータ１０７に送信される。
【００１７】
ここで、図４を参照して、電文作成部２０３によって作成される入金電文４００について説明する。  
入金電文４００は、従来の入金電文と同様に、入払区分、入金金額、振込依頼人コード、支店名、支店コード、種目、口座番号、名義人名などの項目を含む。例えば、図３に示したように口座が登録されており、ＡＴＭに１００００円が投入され、口座３０１、３０２、３０３に対してそれぞれ７，０００円、１，５００円、１，０００円の入金金額が入力された場合、図４に示すように複数の入金電文４０１〜４０４が作成される。入金電文４０４は、つり銭に対応する入金電文であり、つり銭金額として、ＡＴＭに投入された紙幣の合計金額から、ＡＴＭで指定された入金金額の合計金額を差し引いた差額が算出され、設定される。この場合、その差額は５００円である。
【００１８】
図２に戻り、続いて、ホストコンピュータ１０７の電文受信部２０７、電文照合部２０９、および入金処理部２１１について説明する。  
電文受信部２０７によって受信された入金電文は、電文照合部２０９によって口座マスタ１０９と照合される。電文照合部２０９は、入金電文に含まれる口座情報と、口座マスタ１０９に登録されている口座情報を照合して、入金電文に含まれる口座情報で識別される口座が、口座マスタ１０９に存在するどうかを確認する。口座マスタ１０９に存在しない場合は、ＡＴＭ１０１にエラーとして通知する。
【００１９】
入金処理部２１１は、受信した入金電文に基づいて、入金処理を実施する。ここで、取引マスタ１１１には、入金電文に対応する入金明細レコードが作成される。
【００２０】
図５は、本発明の一実施形態に係る複数口座入金システムの処理フロー図を示す。  
まず、ＡＴＭ１０１は、挿入されたキャッシュカードを読み取る（Ｓ５０１）。キャッシュカードから読み取った口座情報等はホストコンピュータ１０７に通知される。ホストコンピュータ１０７は口座マスタ１０９を参照して、ＡＴＭ１０１から通知された口座が一部入金可能な入金専用口座であるかどうかを確認する（Ｓ５０２）。その口座が一部入金可能な口座でない場合は、ＡＴＭ１０１にエラーを通知し（Ｓ５０３）、処理を終了する。一方、その口座が一部入金可能な口座である場合は、その確認結果をＡＴＭ１０１に通知し、ＡＴＭ１０１は一部入金メニューを表示する（Ｓ５０４）。次いで、ＡＴＭ１０１は、投入された紙幣および各口座に対して指定された入金金額を受け取る（Ｓ５０５）。ＡＴＭ１０１は、キャッシュカードから読み取った口座情報及び指定された入金金額に基づいて、入金電文を作成し、ホストコンピュータ１０７に送信する（Ｓ５０７）。ここで、つり銭口座に対する入金電文には、投入された紙幣の合計金額から、指定された入金金額の合計金額を差し引いた差額であるつり銭金額が設定される。
【００２１】
ホストコンピュータ１０７は入金電文を受信すると、口座マスタ１０９と照合し、入金電文で指定された口座が、口座マスタ１０９に存在しているかどうかを確認する（Ｓ５０９）。存在しない場合は、ＡＴＭ１０１にエラーを通知し（Ｓ５１１）、処理を終了する。一方、存在する場合には、入金専用口座およびつり銭口座に対して入金処理を実施し、取引マスタ１１１に、それぞれの口座に対する入金明細レコードを作成する（Ｓ５１３）。
【００２２】
図６は、本発明を説明するための概念図を示す。ここでは、インターネットバンキングシステム等の入出金明細照会画面６０１〜６０４を例示する。
【００２３】
これまで説明してきたように、本発明によると、ＡＴＭで受け付けた入金を、複数の口座、すなわち、複数の入金専用口座およびつり銭口座に対して、入金処理することができる。例えば、図６に示されるように、ＡＴＭ１０１に１０，０００円が投入され、入金金額として７，０００円、１，５００円、１，０００円が各入金専用口座１、２、３に対してが指定されるとする。この場合、入出金明細照会画面６０１、６０２、６０３に示されるように、入金専用口座１には７，０００円が入金され、入金専用口座２には１，５００円が入金され、入金専用口座３には１，０００円が入金される。また、入出金明細照会画面６０４に示されるように、つり銭口座には、投入金額１０，０００円と入金金額の合計金額９，５００円との差額である５００円が入金される。また、入出金明細照会画面６０１、６０２、６０３、６０４には、依頼人コードが表示される。この情報は、入金に使用したキャッシュカードから取得することができる。このように依頼人コードを管理することにより、入金担当者ごとの入金の管理が容易になる。なお、入金専用口座への入金は、後に一括して、本サービスを利用する会社の指定口座、たとえば、資金管理管理口座等に移動することができる。
【００２４】
以上説明したように、本発明によると、ＡＴＭの一部入金機能を用いて、複数口座への入金を可能とし、つり銭分を別口座に入金することにより、硬貨によって入金することができず、つり銭も返却されないＡＴＭにおいても、所望の口座に１円単位で入金することが可能になり、売上金等と同一の入金額を入金することが可能になる。
【符号の説明】
【００２５】
１０１  ＡＴＭ
１０３  ネットワーク
１０５  金融機関システム
１０７  ホストコンピュータ
１０９  口座マスタ
１１１  取引マスタ
２０１  カード読取部
２０３  電文作成部
２０５  電文送信部
２０６  通知照合部
２０７  電文受信部
２０９  電文照合部
２１１  入金処理部
【図１】
0005615208.tif 000002
【図２】
0005615208.tif 000003
【図３】
0005615208.tif 000004
【図４】
0005615208.tif 000005
【図５】
0005615208.tif 000006
【図６】
0005615208.tif 000007